(57)【要約】      （修正有）【課題】モップ柄の先端部に設けられているモップ装着盤にモップヘッドを簡単かつ確実に着脱できるようにした清掃モップを提供する。【解決手段】モップ装着盤１に、モップヘッド２０を着脱可能に止着する止着機構を設けている。止着機構はモップ装着盤１にスライド可能に設けられた止着レバー７ｂであり、この止着レバー７ｂはモップヘッド２０に設けられたフランジ部２０ｆを係止している。止着レバー７ｂは、モップ装着盤１に設けられた止着レバー収容部１ｂにスライド可能に装着されており、この収容部１ｂに止着レバー７ｂをモップヘッド２０のフランジ部２０ｆ方向に付勢する付勢部材８を設けている。【選択図】図１
0003167156.tif 000002
【実用新案登録請求の範囲】
【請求項１】
モップ柄の先端に連結されたモップ装着盤に、モップを固着したモップヘッドを着脱可能に装着した清掃モップにおいて、
前記モップ装着盤に、前記モップヘッドを着脱可能に止着する止着機構を設けたことを特徴とする清掃モップ。
【請求項２】
前記止着機構は、前記モップ装着盤にスライド可能に設けられ、かつ前記モップヘッドに設けられた係止部分を係止する止着レバーであることを特徴とする請求項１に記載の清掃モップ。
【請求項３】
前記止着レバーは、前記モップ装着盤に設けられた止着レバー収容部にスライド可能に装着されており、該止着レバー収容部に、前記止着レバーを前記モップヘッドの係止部分方向に付勢する付勢部材を設けたことを特徴とする請求項２に記載の清掃モップ。
【請求項４】
前記モップ装着盤は円盤形状であり、その中心部に円錐形状の受け部材が設けられ、該受け部材に中間部材を介してモップ柄を連結する連結部材が傾倒可能に結合されていることを特徴とする請求項１〜３の何れかに記載の清掃モップ。
【請求項５】
前記モップヘッドは、モップ束を固着する複数のモップ取付穴が形成された環形状であり、その内周部に前記止着レバーとの係止部分であるフランジ部が形成されていることを特徴とする請求項２〜４の何れかに記載の清掃モップ。
【請求項６】
前記モップ装着盤に、外周面に噛合部が形成された内環部を設け、前記モップヘッドの内周部に前記噛合部と係合する複数の係止突起部を設けるとともに、該係止突起部のピッチを前記噛合部の凹凸のピッチよりも大きくしたことを特徴とする請求項１〜５の何れかに記載の清掃モップ。
【考案の詳細な説明】
【技術分野】
【０００１】
本考案は、モップヘッドを着脱可能に装着した清掃モップに関するものである。
【背景技術】
【０００２】
従来、図５に示すように、モップ柄９０の先端部にモップ装着盤９１を枢着し、このモップ装着盤９１に、多数の糸束で構成されたモップ９２を固着した円盤形状のモップヘッド９３を着脱可能に装着した清掃モップが知られている。この清掃モップは、モップ柄９０に筒状の回転グリップ９０ａ，９０ａが設けられおり、モップ柄９０はモップ装着盤９１との枢着部９４において傾倒可能となっている。
【０００３】
モップ９２の洗浄には図６に示すような洗浄バケツ１００が使用される。洗浄バケツ１００には脱水カゴ１０１が回動可能に設けられ、その隣の空間部であるモップ洗浄部１０２の底部には円錐状のモップ洗浄部材１０３が回動可能に設けられている。そして、モップ９２を洗浄するときは、図７に示すように、モップ洗浄部１０２に水を入れた後、モップヘッド９３の裏面に形成された凹部（図示せず）をモップ洗浄部材１０３に嵌め合わせ、ペダル１０４を足で繰り返し踏みつける。これにより、洗浄バケツ１００の底部に内蔵された歯車群機構（図示せず）によってモップ洗浄部材１０３が回転し、モップヘッド９３がモップ装着盤９１と共に回転してモップ９２がその回転力により洗浄されることになる。
【０００４】
また洗浄後のモップ９２を脱水するときは、図８に示すように脱水カゴ１０１にモップ９２を収容し、ペダル１０４を足で繰り返し踏みつけると、前記歯車群機構により脱水カゴ１０１が回転し、モップヘッド９３も同時に回転してモップ９２に含まれる水分がその遠心力により脱水される。なお、この脱水時及び上述の洗浄時においては、モップ柄９０を垂直に立て、回転グリップ９０ａ，９０ａの一方又は両方を持った状態で保持しておけば、モップヘッド９３の回転に伴うモップ柄９０の回転は回転グリップ９０ａ，９０ａに伝わらずに安定して回転する（上述した従来の清掃モップ、洗浄バケツの詳細は特許文献１を参照）。
【０００５】
上述したモップヘッド９３は、その上面部に形成された円形凹部９５（図１０参照）にモップ装着盤９１が強く嵌合されているだけである。このためモップヘッド９３を交換するときは、図９に示すように、モップヘッドのモップ９２を強く足で踏みつけた状態でモップ柄９０を枢軸部９４における非回転方向（モップ柄９０を倒したときに枢軸部９４を支点にモップ柄９０が回転しない方向）に押し倒し、モップ装着盤９１をモップヘッド９３の円形凹部９５から取り外している。また、新しいモップヘッド９３を取り付けるときには、図１０に示すように、モップ装着盤９１をモップヘッド９３の円形凹部９５の真上に位置合わせをした後、モップ装着盤９１の上面部を足で強く踏み付けて円形凹部９５に嵌合している。
【０００６】
しかしながら、上述のような単なる嵌め込み式の構造では、モップヘッド９３の交換作業の際に力作業を伴うため、女性や高齢者等の非力者にとっては大変な作業となる。また、モップヘッド９３の嵌め込みが緩いと清掃中にモップヘッド９３が外れるなどのアクシデントも危惧される。
【０００７】
なお、モップの装着構造に関しては、上述した従来例のほかに下記する特許文献２、特許文献３などが提案されているが、これらはモップ装着盤又はそれに相当する部材にモップヘッドをネジで固定するか嵌め込み固定する構造であり、いずれにしてもモップヘッドの交換作業は煩雑である。
【先行技術文献】
【特許文献】
【０００８】
【特許文献１】実用新案登録第３１６１８６９号公報
【特許文献２】実開昭５０−５８５５６号公報
【特許文献３】実用新案登録第３１１７２８２号公報
【考案の概要】
【考案が解決しようとする課題】
【０００９】
本考案は、上述したような従来の課題を解決するために提案されたものであり、モップ柄の先端部に設けられているモップ装着盤にモップヘッドを簡単かつ確実に着脱できる清掃モップを提供することを目的とする。
【課題を解決するための手段】
【００１０】
上記課題を解決するため、請求項１の考案に係る清掃モップは、モップ柄の先端に連結されたモップモップ装着盤に、モップを固着したモップヘッドを着脱可能に装着した清掃モップにおいて、
前記モップ装着盤に、前記モップヘッドを着脱可能に止着する止着機構を設けたことを特徴としている。
【００１１】
また請求項２の考案に係る清掃モップは、前記止着機構が、前記モップ装着盤にスライド可能に設けられ、かつ前記モップヘッドに設けられた係止部分を係止する止着レバーであることを特徴としている。
【００１２】
また請求項３の考案に係る清掃モップは、前記止着レバーが、前記モップ装着盤に設けられた止着レバー収容部にスライド可能に装着されており、該止着レバー収容部に、前記止着レバーを前記モップヘッドの係止部分方向に付勢する付勢部材を設けたことを特徴としている。
【００１３】
また請求項４に係る清掃モップは、前記モップ装着盤は円盤形状であり、その中心部に円錐形状の受け部材が設けられ、該受け部材に中間部材を介してモップ柄を連結する連結部材が傾倒可能に結合されていることを特徴としている。
【００１４】
また請求項５に係る清掃モップは、前記モップヘッドが、モップ束を固着する複数のモップ取付穴が形成された環形状であり、その内周部に前記止着レバーとの係止部分であるフランジ部が形成されていることを特徴としている。
【００１５】
さらに請求項６に係る清掃モップは、前記モップ装着盤に、外周面に噛合部が形成された内環部を設け、前記モップヘッドの内周部に前記噛合部と係合する複数の係止突起部を設けると共に、該係止突起部のピッチを前記噛合部の凹凸のピッチよりも大きくしたことを特徴としている。
【考案の効果】
【００１６】
本考案の清掃モップによれば、モップ柄の先端部に設けられているモップ装着盤にモップヘッドを簡単かつ確実に着脱できる等の利点がある。これに加え、請求項２〜６の考案によれば、止着機構を含めたモップ装着盤とモップヘッドを簡単な構成とすることができ、着脱操作も容易である。さらに請求項６の考案によれば、モップ装着盤の内環部の噛合部にモップヘッドの係止突起が係合してモップ装着盤とモップヘッドが一体に回転することになり、このためモップヘッドを強固に嵌め込む必要がなくなる。しかも係止突起部のピッチを噛合部の凹凸のピッチよりも大きくしているため、モップヘッドを装着する際の位置合わせも容易である。
【図面の簡単な説明】
【００１７】
【図１】図１は本考案の清掃モップのモップ装着盤とモップヘッドを斜め下方から見た半断面斜視図である。
【図２】図２は同じくモップ装着盤とモップヘッドを斜め上方から見た半断面斜視図である。
【図３】図３は同じくモップ装着盤とモップヘッドを下面部方向から見た斜視図である。
【図４】図４は本考案のモップヘッドの斜視図である。
【図５】図５は従来の清掃モップの全体斜視図である。
【図６】図６は洗浄バケツの斜視図である。
【図７】図７は洗浄バケツで清掃モップを洗浄している状態を示す斜視図である。
【図８】図８は洗浄バケツで清掃モップの脱水をしている状態を示す斜視図である。
【図９】図９は従来の清掃モップのモップヘッドを取り外している状態を示す斜視図である。
【図１０】図１０は同じく従来の清掃モップのモップヘッドを装着している状態を示す斜視図である。
【考案を実施するための形態】
【００１８】
以下、本考案の代表的な実施形態を図１乃至図４に基づいて説明する。図１乃至図３は、本考案のモップ装着盤１と該モップ装着盤１に着脱可能に装着されたモップヘッド２０を示したものであり、モップ装着盤１には図５に示した従来例のモップ柄９０が連結される。
【００１９】
モップ装着盤１は上面部１ｅと外側面部１ｆを有しており、全体が凹状の円盤形状となっている。該モップ装着盤１の内面部には、図３に示すようにモップ装着盤１と同心円の内環部１ｇが突設されており、内環部１ｇの外周面には所定ピッチの凹凸である噛合部１ｈが形成されている。
【００２０】
モップ装着盤１の中央部には、上述した洗浄バケツ１００のモップ洗浄部材１０３の受け部となる受け部材２と、中間部材３と、上述したモップ柄９０を連結する連結部材４が設けられている。受け部材２はモップ装着盤１の中央部に形成された挿通穴１ａの下方から挿入されている。受け部材２の下部２ａは円錐形状の空間となっており、中央上部には軸部２ｂが突設され、該軸部２ｂに軸穴２ｃが形成されている。
【００２１】
受け部材２の軸部２ｂには、前記中間部材３が嵌挿されている。中間部材３は、下部３ａが円板形状となっており、中央上部に突出する軸筒部３ｂに受け部材軸部２ｂが挿入されている。軸筒部３ｂには軸穴３ｃが形成されている。
【００２２】
中間部材３の軸筒部３ｂには、前記連結部材４が連結されている。連結部材４は下部が二股形状の脚部４ａとなっており、中央上部に連結筒部４ｂが突設されている。二股脚部４ａには両脚部を連通する軸穴４ｃが形成されており、二股脚部４ａに中間部材３の軸筒部３ｂがそれを挟むような状態で挿着されている。なお、連結部材４の側部にはフック６が設けられており、洗浄バケツ１００の縁部等にフック６を引っ掛けて清掃モップを立て掛けておくことができるようになっている。
【００２３】
これら受け部材２、中間部材３及び連結部材４は、それぞれの軸穴２ｃ，３ｃ，４ｃに連結ボルト５を挿入しナット５ａで止着することにより結合されている。また連結部材４の連結筒部４ｂにはモップ柄９０の下端部が挿入され、ネジ穴４ｄに止めネジ（図示せず）を螺入してモップ柄９０と固定されている。この状態で、モップ柄９０はモップ連結盤１に対して連結ボルト５を軸に傾倒可能となるように連結されることになる。
【００２４】
モップ装着盤１の上面部１ｅには、連結部材４を中心とした対向した位置に止着レバー収容部１ｂ，１ｂが凹設されており、そこに止着レバー７，７が保持されている。収容部１ｂ，１ｂの底面部１ｄ，１ｄは段形状に形成されており、先端側（外側面部１ｆの方向）に止着レバー７，７の先端爪部７ａ，７ａが出没するための開口部１ｃ，１ｃが形成されている。また図３に示すように、収容部１ｂ，１ｂの両側面部も開口しており、その開口部に沿ってモップ装着盤１の裏面側に側片部１ｉ，１ｉが凸設されている。
【００２５】
止着レバー７，７は全体が略Ｌ字形状となっており、先端部に爪部７ａ，７ａが形成され、後端部に起立部７ｂ，７ｂが形成されると共に、先端裏面部に突延部７ｃ，７ｃが形成されている。止着レバー７，７の両側部には、図３に示すように突片部７ｄ，７ｄが形成されており、この突片部７ｄ，７ｄは側片部１ｉ，１ｉと収容部底面部１ｄ，１ｄの隙間に係入され、突片部７ｄ，７ｄは側片部１ｉ，１ｉに沿って移動するようになっている。これにより止着レバー７，７は、下述するモップヘッド２０のフランジ部２０ｆ方向（開口部１ｃ，１ｃから突出する方向）にスライド可能となるように収容部１ｂ，１ｂに保持されている。
【００２６】
また、止着レバー７，７の突延部７ｃ，７ｃと止着レバー収容部底面部１ｄ，１ｄの段面部の間には、バネ等の付勢部材８，８が介装されており、これにより止着レバー７，７は常にモップ装着盤１のモップヘッド２０のフランジ部２０ｆ方向に付勢された状態となっている。
【００２７】
一方、モップヘッド２０は、図４に示すように全体が環形状であり、外周面部２０ａは、前記モップ装着盤１の外側面部１ｆの内側に嵌挿可能な外径となっている。モップヘッド２０には、函形のモップ固着部２０ｃが外周面部２０ａに沿って等間隔に複数設けられており、これらモップ固着部２０ｃの間に板状の仕切部２０ｂが形成されている。モップ固着部２０ｃの底面部にはモップ取付穴２０ｄが開口され、そのモップ取付穴２０ｄの周縁部には全周にわたって凹凸２０ｅが形成されている。
【００２８】
また、モップヘッド２０の内周部にはフランジ部２０ｆが形成されており、その内縁部には複数の係止突部２０ｇが等間隔に形成されている。この係止突部２０ｇは、前記モップ装着盤１の噛合部１ｈのピッチよりも大きなピッチとなっている。
【００２９】
前記モップ固着部２０ｃのモップ取付穴２０ｄには、図５等に示す従来と同じようなモップ９２が固着される（本考案の実施態様を示す図面では煩雑さを避けるためにモップを省略している）。モップはポリエステル等、吸水性、耐久性等に優れた素材糸を所定本数束ね、これを二つ折りにして、その折り畳み部分をモップヘッド２０の下面方向（図１、図２では下部方向）からモップ取付穴２０ｂに圧入する（モップ束の折り畳み部分はモップ穴２０ｂに強く押し込まなければ通過しない厚味となっている）。モップ取付穴２０ｂを通過した折り畳み部分の先端部は、モップ固着部２０ｃの空間部に収納され元の状態に膨張すると共に、モップ取付穴２０ｂの凹凸部２０ｅに挟持される。これにより、モップ糸束はモップ固着部２０ｃに強固に固着される。
【００３０】
なお、上述のモップ装着盤１、モップヘッド２０等の各部材は、連結ボルト５、ナット５ａ、付勢部材８，８を除き樹脂材で造られている。
【００３１】
このようなモップヘッド２０は、モップ装着盤１の外側面部１ｆと内環部１gの間に嵌挿される。モップヘッド２０を装着する際は、まず起立部７ｂ，７ｂを持って止着レバー７，７を付勢部材８，８に抗して止着レバー収容部１ｂ，１ｂの段面部方向（連結部材４方向）にスライドさせる。モップヘッド２０を嵌挿した後に起立部７ｂを離すと、止着レバー７，７は付勢部材８，８の弾性によりモップヘッドフランジ部２０ｆ方向にスライドし、爪部７ａ，７ａがモップヘッドフランジ部２０ｆの裏面部に移動してモップ装着盤上面部１ｅとの間でモップヘッドフランジ部２０ｆを保持した状態となる。このときモップヘッド２０の係止突部２０ｇはモップ装着盤１の噛合部１ｈの対応する凹部に係入するため、モップヘッド２０がモップ装着盤１と一体に回転することになる。
【００３２】
モップヘッド２０を交換するときは、上述のように起立部７ｂ，７ｂを持って止着レバー７，７を止着レバー収容部１ｂ，１ｂの段面部方向（連結部材４方向）にスライドさせると、爪部７ａ，７ａがモップヘッドフランジ部２０ｆから外れ、止着状態が解除されるため、モップヘッド２０をモップ装着盤１から容易に取り外すことができる。その後、上述した手順で新しいモップヘッド２０を装着する。このように本考案ではモップヘッド２０の交換作業は過度な労力を必要とせずに簡単、容易に行うことができる。
【００３３】
本考案の清掃モップの使用例は上述した従来の使用例と同じであり、図６乃至図８に示す洗浄バケツ１００を使用してモップ洗浄を行うことができる。この際、モップ装着盤１の受け部材２の下部２ａに洗浄バケツ１００のモップ洗浄部材１０３を嵌め合わせるようにしてモップ部材１０３を回転させる。モップヘッド２０を装着したモップ装着盤１は、連結ボルト５により連結部材４と連結され、この連結部材４にモップ柄９０が連結されているため、これらが一体となって回転することになる。またモップ柄９０は連結ボルト５を軸に傾倒させることができるため、狭い場所を清掃する際にモップ柄９０を倒した状態で使用することができる。
【００３４】
以上説明した実施態様は本考案の１つの実施態様を示したにすぎず、モップ装着盤１とモップヘッド２０を簡易に止着できるのであれば他の止着機構を採用することができる。またモップヘッド２０のモップの取付構造についても図示した構造に限られず、より簡素化した構造を採用することができる。その他、細部の構成は本考案の趣旨にしたがって設計変更することができる。さらに実施態様では回転式モップを例に説明しているが、モップヘッドを着脱する方式であれば固定式モップ、その他の清掃モップにも適用することができる。
【符号の説明】
【００３５】
１  モップ装着盤
１ａ  止着レバー収容部
１ｇ  内環部
１ｈ  噛合部
２  受け部材
３  中間部材
４  連結部材
５  連結ボルト
６  フック
７  止着レバー
８  付勢部材
２０  モップヘッド
２０ｃ  モップ固着部
２０ｄ  モップ取付穴
２０ｆ  フランジ部
２０ｇ  係止突起部
【図１】
0003167156.tif 000003
【図２】
0003167156.tif 000004
【図３】
0003167156.tif 000005
【図４】
0003167156.tif 000006
【図５】
0003167156.tif 000007
【図６】
0003167156.tif 000008
【図７】
0003167156.tif 000009
【図８】
0003167156.tif 000010
【図９】
0003167156.tif 000011
【図１０】
0003167156.tif 000012